(57)【特許請求の範囲】
【請求項１】
各々が前後方向に延びるとともに、前後方向の所定位置に位置する支点を中心として揺動自在に構成された複数の鍵と、
合成樹脂の成形品で構成され、前記複数の鍵の後ろ側に配置されたハンマーサポートと、
このハンマーサポートに回動自在に支持され、前記複数の鍵の後端部の当接部にそれぞれ上方から当接するとともに、対応する前記鍵の押鍵に伴って回動する複数のハンマーと、
これらのハンマーごとに設けられた複数のスイッチ本体、および当該複数のスイッチ本体が下面に取り付けられたスイッチ基板を有し、押鍵に伴って回動する前記ハンマーが、対応する前記スイッチ本体を押圧することによって、押鍵された鍵の押鍵情報を検出する鍵スイッチと、
を備え、
前記ハンマーサポートは、直立するように形成されたハンマー支持部と、このハンマー支持部の上端部から前方に斜め上がりに延びかつ前記ハンマーの上側に位置し、上下方向に貫通する開口を有するスイッチ取付部とを有しており、
前記鍵スイッチは、前記スイッチ本体が前記スイッチ取付部の前記開口を介して前記ハンマーに上方から臨むとともに、前記スイッチ基板が前記スイッチ取付部の上面に載置されかつ傾斜した状態で、前記スイッチ取付部に着脱自在に取り付けられており、
前記複数の鍵の各々は、前端から前記支点までの長さである鍵前部長さと、当該支点から前記当接部までの長さである鍵後部長さとの比が、２：１〜２．４：１に設定されるとともに、前記鍵前部長さが、アコースティックなグランドピアノにおいて支点を中心として揺動自在の鍵における鍵前部長さとほぼ同じに設定されていることを特徴とする電子鍵盤楽器の鍵盤装置。
【発明の詳細な説明】
【技術分野】
【０００１】
本発明は、電子ピアノなどの電子鍵盤楽器に適用される鍵盤装置に関する。
【背景技術】
【０００２】
従来、電子ピアノの鍵盤装置として、例えば本出願人がすでに出願した特許文献１に開示されたものが知られている。この鍵盤装置は、揺動自在の複数の鍵と、鍵ごとに設けられ、押鍵に伴って回動する複数のハンマーと、各鍵の押鍵情報を検出する鍵スイッチなどを備えている。各鍵は、前後方向の中央に設けられたバランスピン孔を介して、立設されたバランスピンに揺動自在に支持されている。各ハンマーは、押出加工によって所定形状に成形された金属製のアクションシャーシに、後端部の軸受けを介して回動自在に支持されており、軸受けよりも前方の所定位置に下方からねじ込まれたキャプスタンスクリューを介して、対応する鍵の上面後端部に載置されている。また、鍵スイッチは、プリント基板から成るスイッチ基板と、このプリント基板のハンマー側に、ハンマーごとに設けられた複数のスイッチ本体とで構成されている。そして、この鍵スイッチは、アクションシャーシの上部に設けられたスイッチ取付部の下側に取り付けられている。より具体的には、スイッチ基板の後端部が、スイッチ取付部の基部に係止されるとともに、スイッチ基板の前端部が、スイッチ取付部との間にスペーサを介してねじ止めされている。
【０００３】
また、この鍵盤装置では、鍵の前端からバランスピンまでの長さ（以下「鍵前部長さ」という）と、バランスピンからハンマーが鍵に当接するキャプスタンスクリューまでの長さ（以下「鍵後部長さ」という）との比が、約３：２に設定されている。
【先行技術文献】
【特許文献】
【０００４】
【特許文献１】特開２０１０−２６２１２９号公報
【発明の概要】
【発明が解決しようとする課題】
【０００５】
上記の鍵盤装置では、鍵スイッチが、アクションシャーシのスイッチ取付部の下側に取り付けられるようになっているため、鍵スイッチの取り付け作業が煩雑である。加えて、電子ピアノの製造時に、鍵スイッチをアクションシャーシに一旦取り付けた後に調整が必要になった場合や、電子ピアノのメンテナンスが必要になった場合などにおいても、アクションシャーシからの鍵スイッチの取り外し作業、およびその後の取り付け作業が煩雑である。
【０００６】
また、鍵スイッチのスイッチ基板は、スペーサを介してアクションシャーシにねじ止めされるため、例えばスペーサの製造上の寸法誤差などによっては、ハンマーに対し、鍵スイッチのスイッチ基板やスイッチ本体を適正な位置に精度良く設置できないおそれがある。
【０００７】
さらに、電子ピアノでは通常、奥行き寸法に対するコンパクト化の要請があるため、鍵全体の前後方向の長さは、アコースティックなグランドピアノ（以下適宜、単に「グランドピアノ」という）のそれに比べて短く構成される。しかも、前述したように、従来の鍵盤装置では、鍵前部長さと鍵後部長さとの比が、約３：２に設定されているため、その鍵前部長さは、グランドピアノのそれに比べて非常に短い。このため、上記の鍵盤装置を備えた電子ピアノを演奏する際に、例えば鍵の前端付近の部分を押し下げる場合と、鍵の前端から奥側に離れた部分を押し下げる場合とでは、グランドピアノを演奏する場合と異なり、荷重差が大きくなる。このため、上記の鍵盤装置では、グランドピアノに近似したタッチ感を十分に得ることができず、したがって、上記の鍵盤装置には、改善の余地がある。
【０００８】
本発明は、以上のような課題を解決するためになされたものであり、鍵スイッチの取り付けおよび取り外し作業を容易に行えるとともに、ハンマーおよび鍵スイッチを高い精度で設置することができ、それにより、従来の電子鍵盤楽器の鍵に比べて、鍵前部長さを長くかつ鍵後部長さを短くすることができ、その結果として、鍵盤装置の奥行き寸法をコンパクトに維持しながら、アコースティックなグランドピアノに近似したタッチ感を得ることができる電子鍵盤楽器の鍵盤装置を提供することを目的とする。
【課題を解決するための手段】
【０００９】
上記の目的を達成するために、請求項１に係る発明は、各々が前後方向に延びるとともに、前後方向の所定位置に位置する支点を中心として揺動自在に構成された複数の鍵と、合成樹脂の成形品で構成され、複数の鍵の後ろ側に配置されたハンマーサポートと、このハンマーサポートに回動自在に支持され、複数の鍵の後端部の当接部にそれぞれ上方から当接するとともに、対応する前記鍵の押鍵に伴って回動する複数のハンマーと、これらのハンマーごとに設けられた複数のスイッチ本体、およびこれらの複数のスイッチ本体が下面に取り付けられたスイッチ基板を有し、押鍵に伴って回動するハンマーが、対応するスイッチ本体を押圧することによって、押鍵された鍵の押鍵情報を検出する鍵スイッチと、を備え、ハンマーサポートは、直立するように形成されたハンマー支持部と、このハンマー支持部の上端部から前方に斜め上がりに延びかつハンマーの上側に位置し、上下方向に貫通する開口を有するスイッチ取付部とを有しており、鍵スイッチは、スイッチ本体がスイッチ取付部の開口を介してハンマーに上方から臨むとともに、スイッチ基板がスイッチ取付部の上面に載置されかつ傾斜した状態で、スイッチ取付部に着脱自在に取り付けられており、複数の鍵の各々は、前端から支点までの長さである鍵前部長さと、支点から当接部までの長さである鍵後部長さとの比が、２：１〜２．４：１に設定されるとともに、鍵前部長さが、アコースティックなグランドピアノにおいて支点を中心として揺動自在の鍵における鍵前部長さとほぼ同じに設定されていることを特徴とする。
【００１０】
この構成によれば、複数の鍵の後ろ側に配置されたハンマーサポートが、直立するように形成されたハンマー支持部と、その上端部から前方に斜め上がりに延びかつハンマーの上側に位置するスイッチ取付部とを有しており、このスイッチ取付部に、スイッチ本体およびスイッチ基板を有する鍵スイッチが取り付けられている。具体的には、鍵スイッチは、スイッチ本体がスイッチ取付部の開口を介してハンマーに上方から臨むとともに、スイッチ基板がスイッチ取付部の上面に載置されかつ傾斜した状態で、スイッチ取付部に着脱自在に取り付けられている。これにより、鍵スイッチを、ハンマーサポートのスイッチ取付部に対し、上方から取り付けたり、上方へ取り外すことができ、その取り付けおよび取り外し作業を容易に行うことができる。また、ハンマーサポートは、合成樹脂の成形品で構成されるので、それ自体を精度良く成形でき、加えて、このハンマーサポートのハンマー支持部に回動自在に支持されるハンマー、およびハンマーサポートのスイッチ取付部に載置された状態で取り付けられる鍵スイッチを、高い精度で設置することができる。それにより、従来の電子ピアノの鍵盤装置の鍵に比べて、鍵前部長さを長くかつ鍵後部長さを短くした場合でも、押鍵に伴って回動するハンマー、およびそれに押圧されるスイッチ本体を有する鍵スイッチにより、押鍵された鍵の押鍵情報を精度良く検出することができる。
【００１２】
また、上記の構成によれば、鍵における鍵前部長さと鍵後部長さとの比が２：１〜２．４：１に設定されるので、鍵盤装置の奥行き寸法を従来の電子ピアノの鍵盤装置と同程度にコンパクトに維持しながら、従来の鍵盤装置に比べて、鍵前部長さを長くすることができる。つまり、鍵の全長を、従来の鍵盤装置の鍵のそれと同程度に設定することにより、鍵前部長さについて、アコースティックなグランドピアノの鍵のそれと同程度の長さを確保することができる。
【００１４】
さらに、上記の構成によれば、各鍵の鍵前部長さが、アコースティックなグランドピアノの鍵のそれとほぼ同じであるので、アコースティックなグランドピアノに近似したタッチ感を得ることができる。
【図面の簡単な説明】
【００１５】
【図１】本発明の一実施形態による鍵盤装置を適用した電子ピアノの鍵盤装置を、一部を切り欠いた状態で示す側面図である。
【図２】（ａ）は、鍵盤シャーシを、一部を切り欠いた状態で示す平面図であり、（ｂ）は、（ａ）の一点鎖線枠Ｃ内を拡大して示す図である。
【図３】（ａ）は、リブおよびパネル支持金具を示す斜視図であり、（ｂ）は、パネル支持金具でコントロールパネルを支持した状態を示す鍵盤装置の側面図である。
【図４】鍵の前端からバランスピンまでの長さである鍵前部長さと、バランスピンから鍵のキャプスタンスクリューが当接する後端部までの長さである鍵後部長さとの関係を説明するための図であり、（ａ）は本実施形態の鍵盤装置、（ｂ）は従来の電子ピアノの鍵盤装置を示している。
【図５】ハンマーサポートを示す斜視図であり、（ａ）は、１オクターブ分のハンマーサポートの全体を示し、（ｂ）は、一部を切り欠いた状態を示す。
【図６】ハンマーサポートを示す図であり、（ａ）は平面図、（ｂ）は正面図である。
【図７】ハンマーサポートに、ハンマー、レットオフ部品および鍵スイッチを取り付けた状態、および鍵スイッチを取り外した状態を示す側断面図である。
【発明を実施するための形態】
【００１６】
以下、図面を参照しながら、本発明の好ましい実施形態を詳細に説明する。図１は、本発明の一実施形態による電子ピアノの鍵盤装置を、離鍵状態において示している。
【００１７】
同図に示すように、鍵盤装置１は、電子ピアノの左右方向（図１の表裏方向）に並んだ多数の鍵２（白鍵２ａおよび黒鍵２ｂを各１つのみ図示）と、これらの鍵２を支持する鍵盤シャーシ３と、この鍵盤シャーシ３の後端部（図１の右端部）に連結されたハンマーサポート４と、鍵２ごとに設けられ、押鍵された鍵２に連動して回動する多数のハンマー５（１つのみ図示）と、ハンマー５ごとに設けられ、鍵２の押鍵時にレットオフ感を付与するための多数のレットオフ部品６（１つのみ図示）と、鍵２の押鍵情報を検出するための鍵スイッチ７などで構成されている。
【００１８】
鍵盤シャーシ３は、左右方向に延びる前レール９ａ、中レール９ｂおよび後レール９ｃから成る３本の支持レール９と、前後方向に延びる５本の補強用のリブ１０とを、井桁状に組み立てたものであり、棚板（図示せず）上に固定されている。これらの支持レール９およびリブ１０はいずれも、プレスによる打抜きおよび折曲げ加工によって所定の形状に形成された鉄板で構成されている。支持レール９の板厚は、その軽量化のためにより薄く（例えば１．０ｍｍ）、リブ１０の板厚は、補強のためにより厚く（例えば１．６ｍｍ）設定されている。
【００１９】
前レール９ａの下面および中レール９ｂの上面にはそれぞれ、筬前１１および筬中１２が固定されている。筬前１１および筬中１２は、合成樹脂から成る肉厚の板状のものであり、前レール９ａおよび中レール９ｂの全体にわたって左右方向に延びている。筬中１２には、白鍵２ａおよび黒鍵２ｂに対応する前後の位置に、多数のバランスピン１３（支点）が、左右方向に並んだ状態で立設されている。また、筬前１１には、白鍵２ａおよび黒鍵２ｂに対応する前後の位置に、多数のフロントピン１４が、左右方向に並んだ状態で立設されている。
【００２０】
鍵２は、前後方向に延びるとともに矩形状の横断面を有する木製の鍵本体１５と、その前部の上面および前面に接着された合成樹脂製の鍵カバー１６で構成されている。鍵本体１５の中央よりも後ろ側には、バランスピン孔１７が形成されており、鍵２は、このバランスピン孔１７を介して、バランスピン１３に揺動自在に支持されている。また、鍵本体１５の前端部には、フロントピン孔１８が形成されており、このフロントピン孔１８がフロントピン１４に係合することによって、鍵２が回動する際の左右方向のぶれが防止される。
【００２１】
ハンマーサポート４は、合成樹脂で構成され、例えば１オクターブ分の複数の成形品を互いに連結したものであり、すべてのハンマー５にわたるように左右方向に延びており、鍵盤シャーシ３の後レール９ｃにねじ止めされている。ハンマーサポート４は、この後レール９ｃ付近から直立するハンマー支持部１９と、その上端部から前方に斜め上がりに延びるスイッチ取付部２０などで構成されている。ハンマー支持部１９の上端部には、各ハンマー５を支持するための水平なピン状の支点軸部２１が形成されている。
【００２２】
ハンマー５は、前後方向に延びるアーム状のハンマー本体２２と、その左右の側面の前端部に取り付けられた錘板２３（１つのみ図示）を有する。ハンマー本体２２は合成樹脂で構成され、錘板２３は、比重が比較的大きな鉄などの金属材料で構成されている。ハンマー本体２２の後端部には、円弧状の軸穴２４が形成されており、ハンマー５は、この軸穴２４が支点軸部２１に係合することによって、ハンマーサポート４に回動自在に支持されている。
【００２３】
また、ハンマー本体２２の下面には、軸穴２４のすぐ前側の位置に、キャプスタンスクリュー２５が進退自在にねじ込まれている。ハンマー５は、このキャプスタンスクリュー２５を介して、鍵２の後端部に載置されている。また、ハンマー本体２２の上面の軸穴２４とキャプスタンスクリュー２５との間の部分は、押鍵時に鍵スイッチ７を作動させるためのアクチュエータ部２６になっている。さらに、ハンマー本体２２の上面の前後方向の中央には、押鍵時にレットオフ部品６に係合する板状の係合突起２７が設けられている。
【００２４】
レットオフ部品６は、所定の弾性材料（例えば、スチレン系の熱可塑性エラストマーなど）の成形品で構成されており、ハンマーサポート４のスイッチ取付部２０に取り付けられている。レットオフ部品６は、スイッチ取付部２０から後ろ下がりに斜めに延びており、その先端部には、くびれ部を介して頭部２８が形成されている。この頭部２８は、離鍵状態において、ハンマー５の係合突起２７に対向している。
【００２５】
また、鍵スイッチ７は、プリント基板から成るスイッチ基板２９と、このスイッチ基板２９の下面に、鍵２ごとに設けられたゴムスイッチから成るスイッチ本体３０で構成されている。スイッチ基板２９は、その後端部がスイッチ取付部２０に差し込まれるとともに、前端部および中央部がスイッチ取付部２０にねじ止めされている。また、スイッチ本体３０は、離鍵状態において、ハンマー５のアクチュエータ部２６に若干の間隔をもって対向している。さらに、スイッチ取付部２０の下面の前端部には、ハンマー５の上方への回動を規制する、発泡ウレタンなどで構成されたハンマーストッパ３１が設けられている。
【００２６】
次に、上記構成の鍵盤装置１の動作について説明する。図１に示す離鍵状態から鍵２が押鍵されると、鍵２は、バランスピン１３を中心として、同図の反時計方向に回動し、それに伴い、ハンマー５は、キャプスタンスクリュー２５を介して押し上げられ、支点軸部２１を中心として、上方（同図の時計方向）に回動する。
【００２７】
このハンマー５の回動の途中で、その係合突起２７が、レットオフ部品６の頭部２８に係合し、頭部２８を介してレットオフ部品６を圧縮させながら押圧することにより、レットオフ部品６からハンマー５に作用する反力が増大する。ハンマー５の回動が進むと、係合突起２７が頭部２８から外れることで、レットオフ部品６からの反力が急激に消失する。このようなレットオフ部品６の反力の増大と消失によって、アコースティックピアノに近似したレットオフ感が得られる。
【００２８】
その後、ハンマー５がハンマーストッパ３１に当接することによって、ハンマー５の上方への回動が終了する。また、ハンマー５の上方への回動の間、そのアクチュエータ部２６が鍵スイッチ７のスイッチ本体３０を押圧し、鍵スイッチ７をＯＮすることによって、ハンマー５の回動量に応じた鍵２の押鍵情報が検出され、発音制御装置（図示せず）に出力される。そして、この発音制御装置により、検出された押鍵情報に基づいて、電子ピアノの発音が制御される。
【００２９】
その後、鍵２が離鍵されると、鍵２は押鍵時と反対方向に回動し、図１に示す離鍵状態に復帰し、それに伴い、ハンマー５も、下方に回動し、離鍵状態に復帰する。
【００３０】
次に、本発明に係る鍵盤装置１について、さらに詳細に説明する。図２（ａ）は鍵盤シャーシ３の一部を示し、図３（ａ）はリブ１０を示している。鍵盤シャーシ３の前レール９ａには、フロントピン１４に対応して、多数の孔４０が形成されており、それらの孔４０を貫通した状態で、フロントピン１４が上方に延びている。また、図２（ｂ）に示すように、前レール９ａには、各リブ１０に対応して、ねじ止め用の前後２つの孔４１、４１が形成され、各孔４１の直ぐ右側に、位置決め用の孔４２も形成されている。同様に、中レール９ｂには、各リブ１０に対応して、ねじ止め用の前後２つの孔が形成され、前側の孔の直ぐ右側に、位置決め用の孔が形成されている。なお、後レール９ｃにも、各リブ１０に対応して、ねじ止め用の前後２つの孔が形成されている。
【００３１】
図３（ｂ）に示すように、リブ１０は、前後方向に所定長さ延びるとともにＬ字状の横断面を有しており、前レール９ａ、中レール９ｂおよび後レール９ｃにそれぞれ対応する所定部分の上端部が、右方に直角に折曲げ加工されている。前レール９ａに対応する前後２つの折曲げ部４３、４３の各々には、前レール９ａのねじ止め用の孔４１に対応する位置にねじ孔４３ａが形成されるとともに、前レール９ａの位置決め用の孔４２に対応する位置に、ハーフパンチによって、上方に若干突出する凸部４３ｂが形成されている。同様に、中レール９ｂに対応する前後２つの折曲げ部４４および４５には、中レール９ｂのねじ止め用の孔に対応する位置にねじ孔４４ａおよび４５ａがそれぞれ形成され、前側の折曲げ部４４には、中レール９ｂの位置決め用の孔に対応する位置に、凸部４４ｂが形成されている。なお、後レール９ｃに対応する折曲げ部４６にも、後レール９ｃの前後２つのねじ止め用の孔に対応する位置にそれぞれ、前後２つのねじ孔４６ａ、４６ａが形成されている。
【００３２】
以上のように構成された前レール９ａ、中レール９ｂおよび後レール９ｃを、リブ１０によって連結するように、鍵盤シャーシ３を組み立てる場合、特に、前レール９ａおよび中レール９ｂについては、リブ１０側の各凸部４３ｂ、４４ｂを、前レール９ａおよび中レール９ｂ側の位置決め用の孔４２に挿入するとともに、リブ１０側の各ねじ孔４３ａ、４４ａを、前レール９ａおよび中レール９ｂのねじ止め用の孔４１に合致させた状態でねじ止めする。このようにして、鍵盤シャーシ３を組み立てることにより、ねじ止めの際などに、リブ１０が前レール９ａや中レール９ｂなどに対して回ることがなく、それらの支持レール９とリブ１０を、効率よく連結することができる。また、リブ１０側の凸部４３ｂ、４４ｂと、支持レール９側の位置決め用の孔４２との係合により、前レール９ａと中レール９ｂの位置決めを容易に行うことができ、それにより、鍵盤シャーシ３を高い精度で組み立てることができる。
【００３３】
また、リブ１０の中レール９ｂに対応する前側の折曲げ部４４は、他の折曲げ部４３、４５および４６に比べて、前後方向の寸法が長くなっており、前記ねじ孔４４ａの前方にもねじ孔４４ｃが形成されている。このねじ孔４４ｃは、電子ピアノにおけるコントロールパネル４７（図３（ｂ）参照）を支持するパネル支持金具４８を、リブ１０に取り付けるためものである。
【００３４】
コントロールパネル４７は、音色や音源などを設定するための多数の操作部（図示せず）が設けられており、全体として左右方向に延びる横長の板状に形成されている。また、コントロールパネル４７は、左右両端部が電子ピアノの左右の腕木（図示せず）などに支持されるとともに、左右方向の中央部などが、コントロールパネル４７の裏面に固定された連結金具４７ａを介して、パネル支持金具４８にねじ止めされる。
【００３５】
パネル支持金具４８は、細長い所定形状の金属板の両端部を、互いに反対方向に直角に折曲げ加工されたものである。図３（ａ）に示すように、パネル支持金具４８には、下端部にねじ止め用の孔４８ａが形成され、上端部にねじ孔４８ｂが形成されている。このように構成されたパネル支持金具４８は、下端部の孔４８ａを、リブ１０の中レール９ｂに対応する折曲げ部４４の前側のねじ孔４４ｃに合致させた状態で、ねじ４９によって、リブ１０に固定されている。また、パネル支持金具４８とコントロールパネル４７を連結する場合には、コントロールパネル４７側の連結金具４７ａの取付孔（図示せず）を、パネル支持金具４８の上端部のねじ孔４８ｂに合致させた状態で、連結金具４７ａとパネル支持金具４８をねじ止めする。
【００３６】
図４（ａ）は、本実施形態の鍵盤装置１を示し、同図（ｂ）は、従来の電子ピアノの鍵盤装置１’を示している。同図（ａ）に示すように、この鍵盤装置１では、鍵２の前端からバランスピン１３までの長さである鍵前部長さＦと、バランスピン１３からキャプスタンスクリュー２５が当接する鍵２の上面後端部（当接部）までの長さである鍵後部長さＢとの比が、２：１〜２．４：１に設定されている。また、上記の鍵前部長さＦは、一般的なアコースティックのグランドピアノにおける鍵前部長さと同程度に設定されており、具体的には、例えば約２４０ｍｍに設定されている。
【００３７】
これに対し、図４（ｂ）に示す従来の鍵盤装置１’では、鍵２’の前端からバランスピン１３’までの長さである鍵前部長さＦ’と、バランスピン１３’からキャプスタンスクリュー２５’が当接する鍵２’の上面後端部までの長さである鍵後部長さＢ’との比が、約３：２に設定されている。
【００３８】
図４（ａ）および（ｂ）から明らかなように、両者の鍵２および２’の全長はほぼ同じであるものの、本実施形態の鍵２の鍵前部長さＦが、従来の鍵２’の鍵前部長さＦ’に比べて長くなっている。このため、鍵盤装置１を備えた電子ピアノを演奏する際に、例えば鍵２の前端付近の部分を押し下げる場合と、鍵２の前端から奥側に離れた部分を押し下げる場合との荷重差は、従来の鍵盤装置１’の鍵２’を上記のように押鍵する場合に比べて小さくなり、アコースティックなグランドピアノの鍵を上記のように押鍵する場合とほぼ同様になる。
【００３９】
図５および図６は、１オクターブ分のハンマーサポート４を示している。前述したように、このハンマーサポート４は、合成樹脂の成形品で構成されており、互いに左右方向に所定間隔を隔てた状態で、隣り合うハンマー５を仕切る複数の仕切壁５１を有している。各仕切壁５１は、前記ハンマー支持部１９に対応し、側面形状が縦長のほぼ長方形状に形成された方形壁５２と、前記スイッチ取付部２０に対応し、方形壁５２の上部前端に連なりかつ側面形状がほぼ三角形状に形成された三角壁５３とで構成されている。そして、このハンマーサポート４において、すべての方形壁５２は、その下部の前端部および下端部が左右方向に連なるとともに、上部の後端部が、背壁部５４を介して、左右方向に連なっている。一方、すべての三角壁５３は、その上部の前半部が、上壁部５５を介して、左右方向に連なっている。
【００４０】
背壁部５４の前面上端部には、方形壁５２の上端付近に適宜、斜め上前方に突出する複数の基板係止部５４ａが突設されている。これらの基板係止部５４ａと各方形壁５２との間に、鍵スイッチ７のスイッチ基板２９の後端部が差し込まれた状態で係止される。
【００４１】
上壁部５５には、その上面前端部に、ねじ孔５６ａを有しかつ上方に所定長さ突出する複数（本実施形態では２つ）のねじ止め部５６が設けられる一方、上面後端部に、上方に所定長さ突出する複数（本実施形態では３つ）の基板支持部５７が設けられている。各基板支持部５７は、左右方向に若干間隔を隔てた一対の突起で構成され、両突起の間にねじ孔５７ａが形成されている。また、上壁部５５には、隣り合う仕切壁５１、５１（三角壁５３、５３）の間にそれぞれ、前記レットオフ部品６を取り付けるための複数の取付孔５８が形成されている。なお、上壁部５５の各取付孔５８の後方に形成された開口５９は、ハンマー５が上方に回動したときに、レットオフ部品６に係合するハンマー５の係合突起２７が、上壁部５５に当たるのを回避するためのものである。
【００４２】
また、隣り合う仕切壁５１、５１間にはそれぞれ、方形壁５２と三角壁５３が連なる部分に、左右方向に延びる前記支点軸部２１が設けられている。そして、前述したように、この支点軸部２１にハンマー５が回動自在に支持されている。
【００４３】
図７は、ハンマーサポート４に、ハンマー５、レットオフ部品６および鍵スイッチ７を取り付けた状態、および鍵スイッチ７を取り外した状態を示している。同図に示すように、鍵スイッチ７は、ハンマーサポート４のスイッチ取付部２０の上面に載置された状態で、着脱自在に取り付けられている。
【００４４】
具体的には、鍵スイッチ７のスイッチ基板２９は、前述したように、後端部（図７の右端部）が背壁部５４の基板係止部５４ａと方形壁５２との間に差し込まれた状態で係止され、中央部が上壁部５５の基板支持部５７に載置され、前端部が上壁部５５のねじ止め部５６に載置されている。また、スイッチ基板２９の前端部および中央部には、ハンマーサポート４側の各ねじ孔５６ａ、５７ａに対応する位置にそれぞれ、取付孔２９ａが形成されており、それらの取付孔２９ａを介して、ねじ６０がねじ止め部５６のねじ孔５６ａおよび基板支持部５７のねじ孔５７ａに上方からねじ込まれている。さらに、鍵スイッチ７の各スイッチ本体３０は、対応するハンマー５の両側の仕切壁５１、５１、背壁部５４および上壁部５５によって上下方向に貫通するように画成された開口５０（図５および図６参照）を介して、ハンマー５のアクチュエータ部２６に上方から臨んでいる。
【００４５】
以上のように、鍵スイッチ７は、ハンマーサポート４に対し、その上方から容易に取り付けることが可能である。また、ねじ６０をハンマーサポート４側のねじ止め部５６および基板支持部５７のねじ孔５６ａ、５７ａから外すことにより、鍵スイッチ７を、ハンマーサポート４から容易に取り外すことが可能である。
【００４６】
以上詳述したように、本実施形態によれば、鍵スイッチ７を、ハンマーサポート４のスイッチ取付部２０に対し、上方から取り付けたり、上方へ取り外したりすることができ、その取り付けおよび取り外し作業を容易に行うことができる。また、ハンマーサポート４は、合成樹脂の成形品で構成されるので、それ自体を精度良く成形でき、加えて、このハンマーサポート４に回動自在に支持されるハンマー５、およびハンマーサポート４に取り付けられる鍵スイッチ７を、高い精度で設置することができる。それにより、従来の電子ピアノの鍵盤装置１’の鍵２’に比べて、鍵前部長さＦを長くかつ鍵後部長さＢを短くした場合でも、押鍵に伴って回動するハンマー５、およびそれに押圧されるスイッチ本体３０を有する鍵スイッチ７により、押鍵された鍵２の押鍵情報を精度良く検出することができる。
【００４７】
また、鍵盤装置１の鍵２における鍵前部長さＦと鍵後部長さＢとの比が２：１〜２．４：１に設定され、しかも、鍵前部長さＦがアコースティックなグランドピアノの鍵のそれとほぼ同じであるので、鍵盤装置１の奥行き寸法を従来の電子ピアノの鍵盤装置１’と同程度にコンパクトに維持しながら、アコースティックなグランドピアノに近似したタッチ感を得ることができる。
【００４８】
なお、本発明は、説明した上記実施形態に限定されることなく、種々の態様で実施することができる。また、実施形態で示した鍵盤装置１の細部の構成などは、あくまで例示であり、本発明の趣旨の範囲内で適宜、変更することができる。
【符号の説明】
【００４９】
１    鍵盤装置
２    鍵
３    鍵盤シャーシ
４    ハンマーサポート
５    ハンマー
７    鍵スイッチ
１３    バランスピン（支点）
１９    ハンマー支持部
２０    スイッチ取付部
２１    支点軸部
２９    スイッチ基板
３０    スイッチ本体
Ｆ    鍵前部長さ
Ｂ    鍵後部長さ
【図１】
0005829875.tif 000002
【図２】
0005829875.tif 000003
【図３】
0005829875.tif 000004
【図４】
0005829875.tif 000005
【図５】
0005829875.tif 000006
【図６】
0005829875.tif 000007
【図７】
0005829875.tif 000008